(57)【要約】【課題】  本発明は、無線計測装置に関し、例えばＷＣＤＭＡに係る携帯電話システムの無線計測装置に適用して、基地局の検出に与えるノイズの影響を簡易かつ確実に検出することができるようにする。【解決手段】  本発明は、現在受信される基地局のスクランブルコードを繰り返し検出し、各スクランブルコードの検出回数を集計して表示する。【選択図】        図１
2006042124.tif 000002
【特許請求の範囲】
【請求項１】
符号分割多元接続の無線通信システムに係る無線計測装置であって、
アンテナにより受信される無線通信波の処理により、現在受信される前記無線通信システムに係る基地局のスクランブルコードを繰り返し検出するサーチ手段と、
前記サーチ手段による繰り返しの検出結果より、各スクランブルコードの検出回数を集計する集計手段と、
前記集計手段による集計結果を表示する表示手段と
を備えることを特徴とする無線計測装置。
【請求項２】
前記サーチ手段は、
オペレータにより指定された前記基地局のスクランブルコードを除外して、前記現在受信される前記無線通信システムに係る基地局のスクランブルコードを繰り返し検出する
ことを特徴とする請求項１に記載の無線計測装置。
【請求項３】
前記サーチ手段は、
事前に、現在受信される前記無線通信システムに係る基地局のスクランブルコードを検出し、
前記表示手段は、
前記サーチ手段により事前に検出されるスクランブルコードを一覧表示し、
前記オペレータにより指定された前記基地局のスクランブルコードは、
該一覧表示によりオペレータが指定したスクランブルコードである
ことを特徴とする請求項２に記載の無線計測装置。
【発明の詳細な説明】
【技術分野】
【０００１】
本発明は、無線計測装置に関し、例えばＷＣＤＭＡ（Wideband Code Division Multiple Access：広域符号分割多元接続）に係る携帯電話システムの無線計測装置に適用することができる。本発明は、現在受信される基地局のスクランブルコードを繰り返し検出し、各スクランブルコードの検出回数を集計して表示することにより、基地局の検出に与えるノイズの影響を簡易かつ確実に検出することができるようにする。
【背景技術】
【０００２】
近年、ＷＣＤＭＡ等による携帯電話システムにおいては、無線計測装置により基地局から送出された無線通信波を受信し、受信結果を評価することにより、設備のメンテナンス等を図るようになされている。
【０００３】
このような無線計測装置においては、測定対象の携帯電話システムに係る携帯電話装置と同様にして基地局からの無線通信波を受信するようになされており、このような受信方法にあっては、例えば特開２００４−１１２１４８号公報等に開示されているように、３ＧＰＰ（3rd Generation Partnership Project）により策定されたいわゆる３段階セルサーチ法が適用されるようになされている。
【０００４】
ここでこの３段階セルサーチ法においては、始めに、P-SCH （Primary Synchronization Channel ）によりスロット単位の同期を確保した後、S-SCH （Secondary Synchronization Channel ）によりフレーム単位の同期を確保し、続いてCPICH （Common Pilot Channel）により相関を図ってスクランブルコードを検出するようになされている。
【０００５】
このため従来、基地局を設置する場合、複数の基地局を同時に受信した場合でも、確実にスクランブルコードを検出することができるように、近隣に存在する既設の基地局との相関を配慮してスクランブルコードを設定するようになされている。
【０００６】
しかしながらこのようにしてスクランブルコードを設定しても、環境によるノイズにより低い相関値しか確保できない場合もあり、このような場合には、基地局の検出が困難になり、さらには転送レートも低下することになる。
【０００７】
これにより基地局の設置においては、環境によるノイズの影響をも加味して、高い相関値を確保することができるように、スクランブルコードを設定することが求められる。この場合、基地局の検出に与えるノイズの影響を簡易かつ確実に検出することができれば、この種の設置作業を効率良く実行できると考えられる。
【特許文献１】特開２００４−１１２１４８号公報
【発明の開示】
【発明が解決しようとする課題】
【０００８】
本発明は以上の点を考慮してなされたもので、基地局の検出に与えるノイズの影響を簡易かつ確実に検出することができる無線計測装置を提案しようとするものである。
【課題を解決するための手段】
【０００９】
かかる課題を解決するため請求項１の発明においては、符号分割多元接続の無線通信システムに係る無線計測装置であって、アンテナにより受信される無線通信波の処理により、現在受信される無線通信システムに係る基地局のスクランブルコードを繰り返し検出するサーチ手段と、サーチ手段による繰り返しの検出結果より、各スクランブルコードの検出回数を集計する集計手段と、集計手段による集計結果を表示する表示手段とを備えるようにする。
【００１０】
また請求項２の発明においては、請求項１の構成において、サーチ手段は、オペレータにより指定された基地局のスクランブルコードを除外して、現在受信される無線通信システムに係る基地局のスクランブルコードを繰り返し検出する。
【００１１】
また請求項３の発明においては、請求項２の構成において、サーチ手段は、事前に、現在受信される無線通信システムに係る基地局のスクランブルコードを検出し、表示手段は、サーチ手段により事前に検出されるスクランブルコードを一覧表示し、オペレータにより指定された基地局のスクランブルコードは、該一覧表示によりオペレータが指定したスクランブルコードであるようにする。
【００１２】
請求項１の構成により、符号分割多元接続に係る無線通信システムの無線計測装置であって、アンテナにより受信される無線通信波の処理により、現在受信される無線通信システムに係る基地局のスクランブルコードを繰り返し検出するサーチ手段と、サーチ手段による繰り返しの検出結果より、各スクランブルコードの検出回数を集計する集計手段と、集計手段による集計結果を表示する表示手段とを備えるようにすれば、本来の基地局によるスクランブルコードと共に、ノイズによる誤検出に係るスクランブルコードが検出され、この誤検出に係るスクランブルコードにあっては、誤検出の頻度を確認することができ、これにより基地局の検出に与えるノイズの影響を簡易かつ確実に検出することができる。
【００１３】
また請求項２の構成により、請求項１の構成において、サーチ手段は、オペレータにより指定された基地局のスクランブルコードを除外して、現在受信される無線通信システムに係る基地局のスクランブルコードを繰り返し検出するようにすれば、このオペレータにより指定される基地局のスクランブルコードを、既設の基地局に係る本来のスクランブルコードに設定して、基地局の検出に与えるノイズの影響のみを簡易かつ確実に検出することができる。
【００１４】
また請求項３の構成により、請求項２の構成において、サーチ手段は、事前に、現在受信される無線通信システムに係る基地局のスクランブルコードを検出し、表示手段は、サーチ手段により事前に検出されるスクランブルコードを一覧表示し、オペレータにより指定された基地局のスクランブルコードは、該一覧表示によりオペレータが指定したスクランブルコードであるようにすれば、事前に検出したスクランブルコードよりスクランブルコードを選択して、既設の基地局に係る本来のスクランブルコードを簡易に設定することができる。
【発明の効果】
【００１５】
本発明によれば、基地局の検出に与えるノイズの影響を簡易かつ確実に検出することができる。
【発明を実施するための最良の形態】
【００１６】
以下、適宜図面を参照しながら本発明の実施例を詳述する。
【実施例１】
【００１７】
（１）実施例の構成
図１は、本発明の実施例に係る無線計測装置を示すブロック図である。この無線計測装置１は、ＷＣＤＭＡによる携帯電話システムについて、基地局から送出された無線通信波を受信して受信結果の評価に供する各種の測定を実行する。
【００１８】
すなわちこの無線計測装置１において、ディスプレイ部２は、システム制御部３の制御により各種の測定結果を表示する。ＲＦ部５は、システム制御部３の制御により、アンテナ５より得られる無線通信波を増幅し、ベースバンド変換して出力する。アナログディジタル変換回路（ＡＤ）６は、このＲＦ部４のベースバンド出力をアナログディジタル変換処理して受信データを出力する。
【００１９】
ベースバンド処理部８は、システム制御部３の制御によりこのアナログディジタル変換回路６から出力される受信データを処理することにより、この無線計測装置１における処理に必要な各種のデータを出力する。すなわちベースバンド処理部８において、サーチ処理部８Ａは、システム制御部３の制御に従ってスクランブルコードを検出する。データ復調部８Ｂは、このサーチ処理部８Ａで検出されるスクランブルコードを用いて受信データを処理することにより、基地局より送出される各種のデータを検出する。なおベースバンド処理部８は、これらサーチ処理部８Ａ、データ復調部８Ｂの他に、この無線計測装置１の測定機能に係る各種の処理部が設けられ、これら各種の処理部による処理により例えばＲＳＣＰ（Received Signal Code Power）等を検出できるようになされている。
【００２０】
システム制御部３は、演算処理手段により構成され、ユーザーによる操作子の操作に応動して所定の処理プログラムを実行することにより、この無線計測装置１の動作を制御する。この制御において、システム制御部３は、オペレータがノイズの測定を指示すると、図２に示す処理手順の実行により基地局の検出に与えるノイズの影響を検出し、検出結果をディスプレイ部２に表示する。
【００２１】
すなわちシステム制御部３は、この処理手順を開始すると、ステップＳＰ１からステップＳＰ２に移り、ここで無指定基地局測定をサーチ処理部８Ａに指示する。ここで無指定基地局測定は、現在受信される全ての基地局に係るスクランブルコードを検出する処理であり、この実施例においては、ＣＰＩＣＨ（Common Point Channel ）を直接検出するいわゆるＣＰＩＣＨサーチ法により、基地局に割り当て可能な全てのスクランブルコードについて、相関を図って相関値を検出することにより、現在受信される基地局のスクランブルコードを検出する。
【００２２】
この無指定基地局測定により基地局を検出すると、システム制御部３は、ステップＳＰ３に移り、この検出した基地局に係るスクランブルコード等をディスプレイ部２に一覧表示してオペレータによる選択を受け付けることにより、既設基地局の指定を受け付け、この基地局に係るスクランブルコードをノイズ検出対象より除外する。
【００２３】
続いてシステム制御部３は、ステップＳＰ４に移り、ノイズ計測時間の設定を受け付け、続くステップＳＰ５において、サーチ処理部８Ａに改めて無指定基地局測定を指示する。ここでこのステップＳＰ５における無指定基地局測定においては、ステップＳＰ３で除外したスクランブルコードについて、基地局検出の処理を実行しないようになされ、これによりシステム制御部３は、このステップＳＰ５における無指定基地局測定においては、誤検出に係る基地局のスクランブルコードのみを検出するようになされている。
【００２４】
しかしてベースバンド処理部８からこのような誤検出に係る検出結果が通知されると、システム制御部３は、ステップＳＰ６に移り、この検出結果を統計処理する。ここでこの統計処理においては、基地局として検出されるスクランブルコード毎に、統計バッファに検出回数、Ｅｃ／Ｎｏ等を記録して実行される。システム制御部３は、ステップＳＰ５による検出結果を統計バッファに記録すると、ステップＳＰ７に移り、ステップＳＰ４で設定したノイズ計測時間だけステップＳＰ５による無指定基地局測定を実行したか否か判断し、ここで否定結果が得られると、ステップＳＰ５に戻り、サーチ処理部８Ａに改めて誤検出に係る基地局の無指定基地局測定を指示する。
【００２５】
これによりシステム制御部３は、ステップＳＰ４で設定された計測時間の分だけ、誤検出に係る基地局の検出を繰り返し、その検出結果を統計バッファに集計するようになされ、ステップＳＰ４で設定された計測時間だけ計測すると、ステップＳＰ７で肯定結果が得られることにより、ステップＳＰ７からステップＳＰ８に移る。ここでシステム制御部３は、統計結果をディスプレイ部２に表示してオペレータによる入力を受け付け、ここでオペレータが処理の続行を指示すると、ステップＳＰ８からステップＳＰ９に移り、統計バッファをクリアした後、ステップＳＰ５に戻る。これに対してオペータが処理の継続を指示しない場合、ステップＳＰ８からステップＳＰ１０に移ってこの処理手順を終了する。
【００２６】
（２）実施例の動作
以上の構成において、この無線計測装置１においては、アンテナ５を介して得られる無線通信波がＲＦ部４により処理された後、アナログディジタル変換回路６により受信データに変換され、この受信データがベースバンド処理部８により処理されて各種の計測データが検出される。この無線計測装置１においては、この計測データがディスプレイ部２により表示され、これによりこの測定箇所に係る基地局のメンテナンス等に必要な情報が提供される。
【００２７】
この無線計測装置１においては、このような一連の処理がオペレータによる操作に応じて実行され、このオペレータによる操作がノイズの測定を指示するものの場合、ベースバンド処理部８のサーチ処理部８Ａにおいて、現在受信される全ての基地局に係るスクランブルコードを検出する無指定基地局測定が繰り返される。ここでこのようにして検出されるスクランブルコードにおいては、本来の基地局によるスクランブルコードと、ノイズによる誤検出に係るスクランブルコードとである。
【００２８】
これによりこの無線計測装置１では、この繰り返しの検出結果がスクランブルコード毎に集計されて、各スクランブルコードの検出回数が検出され、これらの集計結果がディスプレイ部２により表示される。これによりこの集計結果において、本来の基地局以外のスクランブルコードであって検出回数の多いものは、ノイズの影響により誤検出の頻度の高いものと判断することができ、検出回数が低下するに従ってノイズの影響が小さくなり、１回も検出されないスクランブルコードにあっては、殆どノイズの影響を受けないものであると判断することができる。
【００２９】
これによりこの無線計測装置１によれば、基地局の検出に与えるノイズの影響を簡易かつ確実に検出することができるようになされ、この検出結果に従って新規基地局のスクランブルコードを設定することにより、この新規の基地局に関して、ノイズにより基地局の検出が困難になるような状況を有効に回避し得、さらには転送レートが低下する等の状況を有効に回避することができる。
【００３０】
このようにして無指定基地局測定の繰り返しによりノイズの影響を検出するにつき、この無線計測装置１では、オペレータにより指定された基地局のスクランブルコードについては、検出対象から除外するようになされ、これによりこのオペレータにより指定される基地局のスクランブルコードを、既設の基地局に係る本来のスクランブルコードに設定して、既設の基地局を除外してスクランブルコードを検出、集計することができ、これにより基地局の検出に与えるノイズの影響のみを簡易かつ確実に検出することができる。
【００３１】
また事前にスクランブルコードを検出して一覧表示し、この一覧表示の選択により、検出除外の設定を受け付けることにより、既設の基地局に係る本来のスクランブルコードを簡易に設定することができるようになされている。
【００３２】
（３）実施例の効果
以上の構成によれば、現在受信される基地局のスクランブルコードを繰り返し検出し、各スクランブルコードの検出回数を集計して表示することにより、基地局の検出に与えるノイズの影響を簡易かつ確実に検出することができる。
【００３３】
またこのときオペレータにより指定された基地局のスクランブルコードについては、検出対象から除外することにより、基地局の検出に与えるノイズの影響のみを簡易かつ確実に検出することができる。
【００３４】
また事前の検出に係るスクランブルコードの一覧表示により、このような検出対象からの除外を受け付けることにより、既設の基地局に係る本来のスクランブルコードを簡易に設定して、基地局の検出に与えるノイズの影響のみを簡易かつ確実に検出することができる。
【実施例２】
【００３５】
なお上述の実施例においては、広域符号分割多元接続に係る携帯電話システムの無線計測装置に適用する場合について述べたが、本発明はこれに限らず、通常の符号分割多元接続に係る携帯電話システムの無線計測装置等に広く適用することができる。
【産業上の利用可能性】
【００３６】
本発明は、広域符号分割多元接続に係る携帯電話システムの無線計測装置に適用することができる。
【図面の簡単な説明】
【００３７】
【図１】本発明の実施例に係る無線計測装置を示すブロック図である。
【図２】図１の無線計測装置におけるシステム制御部の無指定基地局測定処理に係る処理手順を示すフローチャートである。
【符号の説明】
【００３８】
１……無線計測装置、３……システム制御部、８……ベースバンド処理部、８Ａ……サーチ処理部、８Ｂ……データ復調部
【図１】
2006042124.tif 000003
【図２】
2006042124.tif 000004